(57)【特許請求の範囲】
【請求項１】
左右方向中央側で昇降装置を介して設置壁面に昇降可能に保持され、左右両側に張出部を有する横長尺の昇降黒板において、
左右の各張出部裏面側と対向する設置壁面側とのいずれか一方にアーム取付枠が固着され、このアーム取付枠には垂直面内回転自在な転動体を遊端部に設けた振れ止めアームが前後傾動自在に基端部で枢着されると共に、該振れ止めアームの転動体がアーム取付枠の非固着側である前記張出部裏面側又は設置壁面側に転接した状態で、当該振れ止めアームを傾動不能に固定するロック手段を備えてなる昇降黒板の振れ止め装置。
【請求項２】
前記転動体が弾性表面部を有するローラーであり、前記振れ止めアームが垂直面内傾動自在である請求項１に記載の昇降黒板の振れ止め装置。
【請求項３】
前記ロック手段は、前記振れ止めアームの中間部に一端側が枢着し、他端側が前記アーム取付枠に設けた長孔に沿って摺動自在な支持アームと、この支持アームの他端側を前記長孔の任意位置で固定するボルト・ナットとで構成されてなる請求項１又は２に記載の昇降黒板の振れ止め装置。
【請求項４】
昇降黒板の左右の各張出部に、上下一対の前記振れ止めアームとそのロック手段を有してなる請求項１〜３のいずれかに記載の昇降黒板の振れ止め装置。
【発明の詳細な説明】
【技術分野】
【０００１】
本発明は、高さ調整が可能な昇降黒板（白板、掲示板を含む）、特に昇降装置による保持部から左右両側への張出部を有する横長尺の昇降黒板における振れ止め装置に関する。
【背景技術】
【０００２】
近年、手動式又は自動式の昇降機構によって一定範囲で高さを調整できる昇降黒板が普及している（特許文献１〜３）。ところが、大型で左右長さが例えば４．８〜７．２ｍといった横長尺の昇降黒板の場合、左右方向中央側で昇降装置を介して設置壁面に保持されるが、その保持部から左右両側への広幅の張出部を生じることから、この張出部の表面に筆記する際に板面が筆圧によって撓んで振れ易く、この振れ動きによって筆跡が歪んだり筆記困難になったりする問題があった。
【先行技術文献】
【特許文献】
【０００３】
【特許文献１】特開平１１−１３７３６２号公報
【特許文献２】特開２００２−２１８５号公報
【特許文献３】特開２００５−１６８７８７号公報
【発明の概要】
【発明が解決しようとする課題】
【０００４】
しかしながら、上述した横長尺の昇降黒板における筆記時の振れという課題に対し、現状では有効な対策は講じられておらず、使い勝手が悪い状況のままに据え置かれている。
【０００５】
本発明は、上述の事情に鑑みて、昇降装置による保持部から左右両側への張出部を有する横長尺の昇降黒板について、その左右張出部での筆記に伴う振れを簡素な機構によって確実に防止する手段を提供することを目的としている。
【課題を解決するための手段】
【０００６】
上記目的を達成するための手段を図面の参照符号を付して示せば、請求項１の発明に係る昇降黒板の振れ止め装置３は、左右方向中央側で昇降装置２を介して設置壁面Ｗに昇降可能に保持され、左右両側に張出部１ａ，１ａを有する横長尺の昇降黒板１において、左右の各張出部１ａ裏面側と対向する設置壁面Ｗ側とのいずれか一方にアーム取付枠３０が固着され、このアーム取付枠３０には垂直面内回転自在な転動体（ローラー）４を遊端部に設けた振れ止めアーム３１が前後傾動自在に基端部で枢着されると共に、該振れ止めアーム３１の転動体４がアーム取付枠３０の非固着側である張出部１ａ裏面側又は設置壁面Ｗ側に転接した状態で、当該振れ止めアーム３１を傾動不能に固定するロック手段５を備えてなる構成としている。
【０００７】
請求項２の発明は、上記請求項１の昇降黒板の振れ止め装置３において、転動体が弾性表面部を有するローラー４であり、振れ止めアーム３１が垂直面内傾動自在である構成としている。
【０００８】
請求項３の発明は、上記請求項１又は２の昇降黒板の振れ止め装置３において、ロック手段５は、振れ止めアーム３１の中間部に一端側が枢着し、他端側がアーム取付枠３０に設けた長孔６に沿って摺動自在な支持アーム３２と、この支持アーム３２の他端側を長孔６の任意位置で固定するボルト（ノブボルト）５ａ・ナット（カレイナット）５ｂとで構成されてなるものとしている。
【０００９】
請求項４の発明は、上記請求項１〜３のいずれかの昇降黒板の振れ止め装置３において、昇降黒板１の左右の各張出部１ａに、上下一対の振れ止めアーム３１，３１とそのロック手段５，５を有してなるものとしている。
【発明の効果】
【００１０】
次に本発明の効果を図面の参照符号を付して説明する。まず、請求項１の発明によれば、横長尺の昇降黒板１における左右の各張出部１ａの表面に筆記する際、該張出部１ａが振れ止め装置３によって裏側から支承されて撓まない確固とした状態にあるから、筆圧を受けても該張出部１ａは振れ動くことがなく、黒板中央側と同様の良好な筆記性が得られる。そして、振れ止め装置３は、アーム取付枠３０の非固着側である張出部１ａの裏面側又は設置壁面Ｗ側に対し、振れ止めアーム３１の転動体（ローラー）４が垂直面内回転自在に転接するから、昇降黒板１の設置段階でロック手段５によって該転動体４が上記転接状態になるように振れ止めアーム３１を固定しておけば、以降は該転動体４の転動を伴って昇降黒板１を無理なく昇降させることができ、もって昇降黒板１の高さ変更の都度にロック手段５の解除と再固定を行う必要がない。また、この振れ止め装置は、振れ止めアーム３１の傾動範囲で転動体４の位置を前後調整できるから、昇降黒板１の張出部１ａと設置壁面Ｗとの間隔が異なる場合にも同じ振れ止め装置３を共用できる上、構造的に極めて簡素であるため、作動の信頼性及び耐久性に優れると共に、安価に製作できるという利点がある。更に、この振れ止め装置は、既設の昇降黒板１にも簡単に適用できると共に、昇降黒板１の裏面側に配設されて正面側には露呈しないサイズに設定できるため、黒板自体の外観体裁を良好に保ち得るという利点もある。
【００１１】
請求項２の発明によれば、振れ止め装置３は、振れ止めアーム３１が垂直面内傾動自在であるために横幅を取らずに設置できると共に、弾性表面部を有するローラー４の転接によって振動が吸収されることから、筆記性がより向上すると共に、昇降黒板１の昇降動作がより円滑になるという利点がある。
【００１２】
請求項３の発明によれば、振れ止めアーム３１のロック手段５は、振れ止めアーム３１の中間部に一端側が枢着し、他端側がアーム取付枠３０の長孔６に沿って摺動自在な支持アーム３２と、この支持アーム３２の他端側を長孔６の任意位置で固定するボルト（ノブボルト）５ａ・ナット（カレイナット）５ｂとで構成されるため、振れ止め装置３全体が構造的に極めて簡素になり、それだけ製作コストを低減できると共に、ロック手段５として操作容易で且つ高い信頼性が得られる。
【００１３】
請求項４の発明によれば、昇降黒板１は、左右の各張出部１ａにおいて振れ止め装置３の上下一対の振れ止めアーム３１，３１によって上下位置で裏側から支承されているから、筆記時の板面への押し付けや身体の接触等で押圧されても黒板全体として前後に傾くことがなく、それだけ黒板としての使い勝手が向上すると共に、昇降動作がより一層円滑になるという利点がある。
【図面の簡単な説明】
【００１４】
【図１】本発明を適用した横長尺の昇降黒板の概略正面図である。
【図２】平板タイプの同昇降黒板の設置状態を示す概略平面図である。
【図３】湾曲タイプの同昇降黒板の設置状態を示す概略平面図である。
【図４】本発明の一実施形態に係る昇降黒板の振れ止め装置を示し、（ａ）は側面図、（ｂ）は振れ止めアームの折畳み状態での正面図である。
【図５】同振れ止め装置を用いた昇降黒板の設置状態を示し、（ａ）は図１のＸ−Ｘ線における断面矢視図、（ｂ）は図１のＹ−Ｙ線における断面矢視図である。
【図６】平板タイプの昇降黒板における振れ止め装置の介在部分を示す要部破断平面図である。
【図７】湾曲タイプの昇降黒板における振れ止め装置の介在部分を示す要部破断平面図である。
【発明を実施するための形態】
【００１５】
以下に、本発明に係る昇降黒板の振れ止め装置の実施形態について、図面を参照して具体的に説明する。図１〜図３に示すように、昇降黒板１は、横長尺であって、その左右方向中央側で昇降装置２を介して設置壁面Ｗに昇降可能に保持され、左右両側に張出部１ａ，１ａを有しており、各張出部１ａの裏面側と設置壁面Ｗとの間に振れ止め装置３が介装されている。しかして、図２に示す平板タイプの昇降黒板１に対し、図３に示す湾曲タイプの昇降黒板１では張出部１ａの裏面側と設置壁面Ｗとの間隔が大きくなっている。なお、図１〜図３において、１１は黒板本体１０の裏面側上部に取付金具１１ａ…を介して取り付けられた上部支持フレーム、１２は黒板本体１０の前面下部に固設されたアルミ製の粉受けである。
【００１６】
振れ止め装置３は、図４（ａ）（ｂ）に示すように、アングル材からなる上下方向に沿うアーム取付枠３０と、各々一端側にローラー４を軸支した上下一対の長い帯板状の振れ止めアーム３１，３１と、上下一対の短い帯板状の支持アーム３２，３２と、各振れ止めアーム３１のロック手段５を構成するノブボルト５ａ及びカレイナット５ｂとを備えており、アーム取付枠３０の立ち上げ片３０ｂの上部及び下部には上下方向の長孔６が形成されている。そして、各振れ止めアーム３１は、アーム取付枠３０の立ち上げ片３０ｂの中央寄り位置に、基端側で枢支ピン７を介して垂直面内傾動自在に枢着されており、ローラー４が垂直面内回転自在となっている。また、各支持アーム３２は、一端側が枢支ピン８を介して振れ止めアーム５の中間部に枢着すると共に、他端側に前記カレイナット５ｂが固着されており、アーム取付枠３０の長孔６に外側から挿嵌したノブボルト５ａが該カレイナット５ｂに螺入している。
【００１７】
上記のアーム取付枠３０と振れ止めアーム３１及び支持アーム３２とのリンク結合により、振れ止めアーム３１は、アーム取付枠３０に対し、図４（ａ）の上部側で示すようにノブボルト５ａの軸部が長孔６の外端（上部側では上端、下部側では下端）に位置した倒伏状態と、同図の下部側で示すようにノブボルト５ａの軸部が長孔６の内端に位置した起立状態との間で傾動変位可能であると共に、該ノブボルト５ａを締め付けることによって任意の傾斜状態で固定できる。
【００１８】
なお、アーム取付枠３０，振れ止めアーム３１，支持アーム３２にはステンレス鋼等の耐食性金属板材が好適に使用され、振れ止めアーム３１及び支持アーム３２は片側側縁に補強用の突縁部３１ａ，３２ａが形成されている。また、ローラー４としては、ウレタンベアリングローラーの如き弾性表面部を有するものが使用される。一方、ノブボルト５ａ及び枢支ピン７ａの軸部には、アーム取付枠３０と支持アーム３２及び振れ止めアーム３１との間隔を保つための環状スペーサー８が套嵌されると共に、枢支ピン７ｂの軸部にはアーム取付枠３０と支持アーム３２との板面間に介在する平ワッシャー９（図６，図７参照）が嵌装されている。
【００１９】
図５（ａ）に示すように、昇降黒板１の裏面側の上部フレーム１１と下部フレーム１３との間に左右一対の昇降ガイドロッド１４，１４が取り付けられ、設置壁面Ｗに固設した昇降装置２のケーシング内に両昇降ガイドロッド１４，１４が挿通している。この場合の昇降装置２は周知の手動式であり、バランススプリングを介して昇降黒板１を力学的平衡を保って吊持しており、常時はブレーキ機構によって該昇降黒板１を所要高さで停止させているが、下部フレーム１３の下側に配置するブレーキ解除レバー２１を押し上げた際、作動コード２２を介してブレーキ機構が解除され、手操作にて図示仮想線で示す上限位置から下限位置までの範囲で軽く昇降できるようになっている。１５は昇降上下限での衝撃吸収のために昇降ガイドロッド１４に嵌装した緩衝スプリングである。なお、黒板本体１０は、塗装鋼板やホウロウ鋼板等からなる表面材１０ａと、ベニヤ合板等からなる基板材１０ｂとの積層板にて構成されている。
【００２０】
図５（ｂ）に示すように、昇降黒板１の左右の各張出部１ａにおいては、その裏面側と設置壁面Ｗとの間に、前記の振れ止め装置３が垂直方向に沿うアーム取付枠３０の基板部３０ａを設置壁面Ｗ側に固着する形で介在している。この振れ止め装置３は、黒板本体１０の裏面に、上下の振れ止めアーム３１，３１の遊端側に枢支したローラー４，４を転接させた状態で、両振れ止めアーム３１，３１を固定しており、もって昇降黒板１の各張出部１ａを裏側から上下二か所で支承している。
【００２１】
上記構成の昇降黒板１では、各張出部１ａが振れ止め装置３による裏側からの支承によって撓まない確固とした状態に保持されることから、該張出部１ａに筆記する際、その筆圧を受けても該張出部１ａは振れ動くことがなく、黒板中央側と同様の良好な筆記性が得られる上、左右の各振れ止め装置３による支承位置が上下２か所であるため、筆記時の板面への押し付けや身体の接触等で押圧されても黒板全体として前後に傾くことがなく、それだけ黒板としての使い勝手が向上する。
【００２２】
そして、振れ止め装置３は、張出部１ａの裏面側に対して振れ止めアーム３１のローラー４が垂直面内回転自在に転接するから、昇降黒板１の設置段階で該ローラー４を転接状態に設定して振れ止めアーム３１をロック手段５によってに固定しておけば、以降は該転動体４の転動を伴って昇降黒板１を無理なく昇降させることができ、もって昇降黒板１の高さ変更の都度にロック手段５の解除と再固定を行う必要がない。また、左右の各振れ止め装置３による支承位置が上下２か所であることにより、黒板全体として前後の傾きを生じないため、昇降動作がより一層円滑になる。
【００２３】
また、この振れ止め装置３によれば、振れ止めアーム３１の傾動範囲でローラー４の位置を前後に調整できるから、昇降黒板１の張出部１ａと設置壁面Ｗとの間隔が異なる場合にも同じ振れ止め装置３を共用できる。例えば、図２に示す平板タイプと図３に示す湾曲タイプの昇降黒板１では、正面から見た黒板サイズが同じものを設置壁面Ｗに対して同様に保持させても、左右の張出部１ａにおける裏面側と設置壁面Ｗとの間隔は湾曲タイプの方が大きくなるが、図６（平板タイプ）と図７（湾曲タイプ）で示すように、同じ振れ止め装置３を用い、その振れ止めアーム３１の傾斜度合を変えることでローラー４を張出部１ａの裏面側に確実に転接させることができる。なお、図６において、１６は昇降黒板１の側端部裏面側に設けた遮蔽パネルであり、湾曲タイプであることで側方から黒板裏面側が見え易くなるのを防止している。
【００２４】
一方、この振れ止め装置３は、構造的に極めて簡素であるため、作動の信頼性及び耐久性に優れると共に、安価に製作できることに加え、既設の昇降黒板に対しても支障なく簡単に適用できるとい大きな利点がある。また、該振れ止め装置３は、昇降黒板１の裏面側に配設されて、且つ該昇降黒板１の昇降範囲で正面側には露呈しないサイズに設定できるため、黒板自体の外観体裁を良好に保ち得るという利点もある。
【００２５】
本発明の振れ装置３における振れ止めアーム３１は、前後方向に傾動自在であればよく、その傾動面が水平でも斜めでも差し支えないが、特に実施形態のように垂直面内で傾動する構成とすれば、振れ止め装置３を横幅を取らずに設置できるという利点がある。また、振れ止めアーム３１の遊端側に設ける転動体としては、回転自在に抱持されたボールも使用できるが、例示したローラー４のように特にゴム等の弾性表面部を有するローラーを用いれば、その転接によって振動が吸収されることから、筆記性がより向上すると共に、昇降黒板１の昇降動作がより円滑になるという利点がある。
【００２６】
振れ止めアーム３１のロック手段５としては、種々の機構を採用できるが、実施形態のように、振れ止めアーム３１の中間部に一端側を枢着して他端側がアーム取付枠３０の長孔６に沿って摺動自在な支持アーム３２と、その他端側を長孔６の任意位置で固定するボルト・ナットとで構成すれば、振れ止め装置３全体が構造的に極めて簡素になり、それだけ製作コストを低減できると共に、ロック手段５として操作容易で且つ高い信頼性が得られる。また、そのボルト・ナットとしては、例示したノブボルト５ａ、カレイナット５ｂ以外の種々の形態のものを採用できる。
【００２７】
なお、本発明の振れ止め装置３は、実施形態では設置壁面Ｗ側に取り付けているが、逆に昇降黒板１の裏面側に取り付け、振れ止めアーム３１の遊端側に設ける転動体を設置壁面Ｗ側に転接させるようにしてもよい。また、本発明の振れ止め装置３としては、遊端側に転動体を設けた振れ止めアーム３１が一本だけである構成も包含する。そして、本発明の振れ止め装置３を適用する昇降黒板には昇降式の白板や掲示板を含むと共に、その昇降装置２としても手動式及び自動式の様々な昇降機構を備えるものを特に制約なく採用できる。
【符号の説明】
【００２８】
１    昇降黒板
１ａ  張出部
２    昇降装置
３    振れ止め装置
３０  アーム取付枠
３１  振れ止めアーム
３２  支持アーム
４    ローラー（転動体）
５    ロック手段
５ａ  ノブボルト（ボルト）
５ｂ  カレイナット（ナット）
６    長孔
Ｗ    設置壁面
【図１】
0005922476.tif 000002
【図２】
0005922476.tif 000003
【図３】
0005922476.tif 000004
【図４】
0005922476.tif 000005
【図５】
0005922476.tif 000006
【図６】
0005922476.tif 000007
【図７】
0005922476.tif 000008